(57)【要約】【課題】モニタの画像表示部を可及的に大きくし、しかもカメラの厚み方向の厚みも薄くできるデジタルカメラを提供する。【解決手段】前面に撮影レンズが配設され、背面に画像表示パネル１４が配設されたカメラ本体１１と、カメラ本体１１の端部に該カメラ本体の高さ方向に伸びる軸を介して回動自在に配設された板状カバー１２と、板状カバー１２に設けられた操作部１９と、を備え、撮影時に板状カバー１２で、カメラ本体１１の画像表示パネル１４の少なくとも一部を覆って、板状カバー１２の部分を把持部とし、再生時に画像表示パネル１４の全体を露出させる退避状態に位置させるようにしたことを特徴とする。【選択図】  図１
2006253942.tif 000002
【特許請求の範囲】
【請求項１】
前面に撮影レンズが配設され、背面に画像表示パネルが配設されたカメラ本体と、
前記カメラ本体の端部に該カメラ本体の高さ方向に伸びる軸を介して回動自在に配設された板状カバーと、
前記板状カバーに設けられた操作手段と、を備え、
撮影時に前記板状カバーで、前記カメラ本体の画像表示パネルの少なくとも一部を覆って、該板状カバーの部分を把持部とし、再生時に前記画像表示パネルの全体を露出させる退避状態に位置させるようにしたことを特徴とするデジタルカメラ。
【請求項２】
前記板状カバーを２枚の板状カバー部分によって構成し、それらの板状カバー部分の側部を軸によって互いに回動自在に連結するとともに、一方の板状カバー部分の一端部を、前記カメラ本体の側端面の中間部に回動自在に配設し、前記撮影時に前記他方の板状カバー部分を前記カメラ本体の画像表示パネルに添う状態に位置させ、再生時に前記他方の板状カバー部分を前記カメラ本体の前面に添う状態に位置させるようにしたことを特徴とする請求項１に記載のデジタルカメラ。
【請求項３】
前記板状カバーを２枚の板状カバー部分によって構成し、それらの板状カバー部分の側部を軸によって互いに回動自在に連結するとともに、一方の板状カバー部分の一端部を、前記カメラ本体の側端面に回動自在に配設し、前記撮影時に前記一方の板状カバー部分が前記カメラ本体の側端面に添い、他方の板状カバー部分が前記カメラ本体の画像表示パネルに添う状態に位置させるようにするとともに、前記再生時に前記一方の板状カバー部分を前記カメラ本体の側端面に立設した状態に維持させるようにしたことを特徴とする請求項１に記載のデジタルカメラ。
【請求項４】
前記板状カバーの回動位置を検出する検出手段を備え、前記検出手段の検出出力に基づいて前記撮影を行う撮影モードと前記再生を行う再生モードとを切り換えることを特徴とする請求項１乃至３のいずれかに記載のデジタルカメラ。
【請求項５】
前記撮影時には、前記画像表示パネルの前記板状カバー部分で覆われていない部分に全画像を表示させ、前記再生時には、前記画像表示パネルの画面全体に全画像を表示させるように表示サイズを切り換える表示サイズ切換手段を更に備えたことを特徴とする請求項１乃至４のいずれかに記載のデジタルカメラ。
【請求項６】
前記板状カバーに配設された操作手段は、前記撮影時に露出する前記板状カバーの面に前記撮影時に使用する操作手段が配設され、前記再生時に露出する前記板状カバーの面に前記再生時に使用する操作手段が配設されていることを特徴とする請求項１乃至５のいずれかに記載のデジタルカメラ。
【発明の詳細な説明】
【技術分野】
【０００１】
本発明はデジタルカメラに係り、特に、液晶等の薄型モニタを搭載したデジタルカメラに関する。
【背景技術】
【０００２】
デジタルカメラにおいては、カメラの背部に液晶等の画像表示装置（モニタ）の画像表示パネルが設けられ、その画像表示パネルに、撮影前の動画（スルー画像）や撮影した後の画像を表示することができるようになっている。
【０００３】
ところで、近時、デジタルカメラの小型化が急速に進んでおり、一方、画像表示パネルについては、迫力のある見易い画像を映し出すため、より大きな画面サイズが望まれている。しかしながら、カメラ本体のサイズに対して画像表示パネルの占める割合が大きくなると、撮影時にカメラを握る部分（グリップ部）が少なくなり、撮影者がカメラ本体を保持することが難しくなり、また、カメラを把持する手が画像表示パネルの画面に触れて、画面を汚したり、損傷したりする。
【０００４】
そこで、このような問題を解決するべく、画像表示パネルを備えたカメラ本体の端部に、ケース状グリップを被せるとともに、カメラ本体に対して端部外方へ、引き出し可能に配設し、モニタを使用する際には、グリップ部をカメラ本体から端部外方へ引き出して、画像表示パネルを完全に露出させ、カメラの非使用状態では、グリップ部をカメラ本体に収納させることによって、カメラ全体の体積を小さくしたデジタルカメラが提供されている（例えば、特許文献１）。
【特許文献１】特開平１１−２９８７７３号公報
【発明の開示】
【発明が解決しようとする課題】
【０００５】
ところで、上記特許文献１のデジタルカメラは、カメラ本体の端部を覆うように、グリップをケース状に形成しているため、端部の厚みが厚くなり、必ずしも小型化には十分ではない。
【０００６】
本発明はこのような事情に鑑みてなされたもので、モニタの画像表示部を可及的に大きくし、かつ、十分なグリップ部を確保でき、しかも、カメラの厚み方向の厚みも薄くできるデジタルカメラを提供することを目的とする。
【課題を解決するための手段】
【０００７】
前記目的を達成するために請求項１に係るデジタルカメラは、前面に撮影レンズが配設され、背面に画像表示パネルが配設されたカメラ本体と、前記カメラ本体の端部に該カメラ本体の高さ方向に伸びる軸を介して回動自在に配設された板状カバーと、前記板状カバーに設けられた操作手段と、を備え、撮影時に前記板状カバーで、前記カメラ本体の画像表示パネルの少なくとも一部を覆って、該板状カバーの部分を把持部とし、再生時に前記画像表示パネルの全体を露出させる退避状態に位置させるようにしたことを特徴としている。
【０００８】
これにより、撮影時に画像表示パネルに手が触れずに無理なくホールドすることができ、再生時には画像表示パネルの全面を使って画像を再生させることができる。
【０００９】
請求項２に示すように請求項１に記載のデジタルカメラにおいて、前記板状カバーを２枚の板状カバー部分によって構成し、それらの板状カバー部分の側部を軸によって互いに回動自在に連結するとともに、一方の板状カバー部分の一端部を、前記カメラ本体の側端面の中間部に回動自在に配設し、前記時に前記他方の板状カバー部分を前記カメラ本体の画像表示パネルに添う状態に位置させ、前記再生時に前記他方の板状カバー部分を前記カメラ本体の前面に添う状態に位置させるようにしたことを特徴としている。
【００１０】
請求項３に示すように請求項１に記載のデジタルカメラにおいて、前記板状カバーを２枚の板状カバー部分によって構成し、それらの板状カバー部分の側部を軸によって互いに回動自在に連結するとともに、一方の板状カバー部分の一端部を、前記カメラ本体の側端面に回動自在に配設し、前記撮影時に前記一方の板状カバー部分が前記カメラ本体の側端面に添い、他方の板状カバー部分が前記カメラ本体の画像表示パネルに添う状態に位置させるようにするとともに、前記再生時に前記一方の板状カバー部分を前記カメラ本体の側端面に立設した状態に維持させるようにしたことを特徴としている。
【００１１】
請求項４に示すように請求項１乃至３のいずれかに記載のデジタルカメラにおいて、
前記板状カバーの回動位置を検出する検出手段を備え、前記検出手段の検出出力に基づいて前記撮影を行う撮影モードと前記再生を行う再生モードとを切り換えることを特徴としている。これにより、前記板状カバーの回動に連動して撮影モードと再生モードとのモード切り換えを行うことができる。
【００１２】
請求項５に示すように請求項１乃至４のいずれかに記載のデジタルカメラにおいて、前記撮影時には、前記画像表示パネルの前記板状カバー部分で覆われていない部分に全画像を表示させ、前記再生時には、前記画像表示パネルの画面全体に全画像を表示させるように表示サイズを切り換える表示サイズ切換手段を更に備えたことを特徴としている。
【００１３】
請求項６に示すように請求項１乃至５のいずれかに記載のデジタルカメラにおいて、前記板状カバーに配設された操作手段は、前記撮影時に露出する前記板状カバーの面に撮影モード時に使用する操作手段が配設され、前記再生時に露出する前記板状カバーの面に再生時に使用する操作手段が配設されていることを特徴としている。これにより、使用しない操作手段を保護することができ、また、撮影時又は再生時に必要な操作手段だけを露出させることで、ユーザの誤操作を防止することができるとともに、使いやすさを向上させることができる。
【発明の効果】
【００１４】
本発明によれば、撮影時には画像表示パネルの一部を覆う板状カバーを把持部とすることができるので、画像表示パネルに指等が触れることなく良好に把持することができるとともに、画像表示パネルを汚したり、損傷したりする虞がなく、再生時には、画像表示パネル全体を露出させることができ、したがって十分に大きな画像を得ることができ、しかもカバーが板状なので、特にカメラの厚み方向の厚みを薄くすることができる。また、操作手段を板状カバーに配置することで、操作手段の配置スペースを確保することができる。
【発明を実施するための最良の形態】
【００１５】
以下添付図面に従って本発明に係るデジタルカメラの好ましい実施の形態について詳説する。
【００１６】
図１は本発明に係るデジタルカメラの一実施形態で、背面側（画像表示パネル側）を示した斜視図、図２は図１のデジタルカメラの前面側（撮影レンズ側）を示した斜視図である。
【００１７】
このデジタルカメラ１０は、薄い箱型を成すカメラ本体１１と、該カメラ本体に回動自在に配設した板状カバー１２とによって構成されている。カメラ本体１１は、前面１１ａに撮影レンズ１３を備え、背面１１ｂに画像表示装置１４の画像表示パネル１４ａを備え、上面１１ｃにおける一端部に撮影ボタン１５を備えている。
【００１８】
板状カバー１２は、側部を互いに軸によって回動自在に連結させた２枚の板状カバー部分１６，１７によって構成され、一方のカバー部分１６の一端が、カメラ本体１１の撮影ボタン側の端面１１ｄにおける厚み方向中間に、その高さ方向を軸心として回動自在に支持されている。
【００１９】
この一方のカバー部分１６の幅は、ほぼカメラ本体１１の厚みの１／２であり、他方のカバー部分１７の幅は、撮影時にカメラ１０を把持するに十分な幅を有している。そして、撮影時には、図１に示したように、一方のカバー部分１６を画像表示パネル１４ａ側に倒し、さらに他方のカバー部分１７を画像表示パネル１４ａに添うように倒す。また、撮影した画像を再生する際には、図２に示したように、一方のカバー部分１６を撮影レンズ１３側に倒し、他方のカバー部分１７をカメラ本体１１の前面１１ａに添うように倒す。
【００２０】
板状カバー１２のカバー部分１６，１７を倒した状態に維持するには、一方のカバー部分１６とカメラ本体１１との間の軸部およびカバー部分１６，１７間の軸部の回動抵抗を大きくすることによって維持してもよいが、例えば、図３に示したように、カメラ本体１１と一方のカバー部分１６のいずれか一方に孔１８ａを形成し、該孔にスプリング１８ｂを介してボール１８ｃを収容するとともに、他方に複数の凹部１８ｄを形成し、それらの凹部１８ｄに、ボール１８ｃを選択的に嵌挿させることによって、位置決めを図ったり、図４に示したように、カメラ本体１１と一方のカバー部分１６のいずれか一方に板ばね１８ｅを配設するとともに、他方に複数の凹部１８ｄを形成し、それらの凹部１８ｄに、板ばね１８ｅの先端部を選択的に嵌挿させることによって、位置決めを図ってもよい。  
【００２１】
また、板状カバー１２の他方のカバー部分１７には、該カバー部分が画像表示パネル１４ａに添って配置された状態（図１参照）における外面に、メニュー／ＯＫキー１９ａ，十字キー１９ｂ，キャンセルキー１９ｃ、シーソーキー１９ｄ等の撮影時に使用する操作部１９が配置され、その内面にコマ送りダイヤル２０ａ，消去ボタン２０ｂ等の再生時に使用する操作ボタン２０が配設されている。尚、コマ送りダイヤル２０ａは、図２の矢印に示す方向に回転できるようになっている。
【００２２】
図５は本発明にかかるデジタルカメラの内部構成を示すブロック図である。
【００２３】
このデジタルカメラ１０では、図５に示したように、静止画像や動画の記録および再生機能等を備えており、カメラ１０全体の動作は、中央処理装置（ＣＰＵ）３１によって制御される。ＣＰＵ３１は、所定のプログラムに従って本カメラシステムを制御する制御手段として機能するとともに、自動露出（ＡＥ）演算，自動焦点調節（ＡＦ）演算，ホワイトバランス調整（ＷＢ）演算など、各種演算を実施する演算手段として機能する。
【００２４】
バス３２を介してＣＰＵ３１と接続されたＲＯＭ３３には、ＣＰＵ３１が実行するプログラムおよび制御に必要な各種データ等が格納され、ＥＥＰＲＯＭ３４には、ＣＣＤ画素欠陥情報，カメラ動作に関する各種定数／情報等が格納されている。
【００２５】
また、メモリ（ＳＤＲＡＭ）３５は、プログラムの展開領域およびＣＰＵ３１の演算作業用領域として利用されるとともに、画像データの一時記憶領域として利用される。ＶＲＡＭ３６は、画像データ専用の一時記憶メモリであり、Ａ領域３６ＡとＢ領域３６Ｂが含まれている。メモリ３５とＶＲＡＭ３６は共用することが可能である。
【００２６】
カメラ１０には、さらにモード選択スイッチ２１が、例えば、板状カバー１２の移動域に設置されている。このモード選択スイッチ２１，撮影ボタン１５，その他の操作ボタン１９、２０等からの信号はＣＰＵ３１に入力され、ＣＰＵ３１は入力信号に基づいてカメラ１０の各回路を制御し、例えば、レンズ駆動制御，撮影動作制御，画像処理制御，画像データの記録／再生制御，画像表示装置１４の表示制御などを行う。
【００２７】
モード選択スイッチ２１は、前記板状カバー１２の回動に連動して可動接片２１Ａが切り換えられ、可動接片２１Ａが接点ａに接続させると、その信号がＣＰＵ３１に入力され、カメラ１０は撮影モードに設定され、可動接片２１Ａが接点ｂに接続させると、カメラ１０は記録済みの画像を再生する再生モードに設定される。
【００２８】
撮影ボタン１５は、撮影開始の指示を入力する操作ボタンであり、半押し時にＯＮするＳ１スイッチと、全押し時にＯＮするＳ２スイッチとを有する２段ストローク式のスイッチで構成されている。
【００２９】
メニュー／ＯＫキー１９ａは、画像表示装置１４の表示パネル１４ａ上にメニューを表示させる指令を行うためのメニューボタンとしての機能と、選択内容の確定および実行などを指令するＯＫボタンとしての機能とを兼備した操作キーである。
【００３０】
十字キー１９ｂは、上下左右の４方向の指示を入力する操作部であり、メニューの画面から項目を選択したり、各メニューから各種設定項目の選択を指示したりするボタン（カーソル操作手段）として機能する。また、十字キー１９ｂの上／下キーは、撮影時のズームスイッチあるいは再生時の再生ズームスイッチとして機能する。
【００３１】
キャンセルキー１９ｃは、選択項目など所望の対象の消去や支持内容の取消し、あるいは１つ前の操作状態に戻らせる時などに使用される。
【００３２】
画像表示装置１４は、撮影時に画角確認用の電子ファインダとして使用できるとともに、記録済み画像を再生表示する手段としても利用される。また、画像表示装置１４は、ユーザインターフェース用表示画面としても利用される。液晶ディスプレイに代えて、有機ＥＬなど他の方式の表示装置（表示手段）を用いることも可能である。
【００３３】
カメラ１０は、メディアソケット（メディア装着部）３７を有し、メディアソケット３７には、記録メディア３８を装着することができる。メディアコントローラ３９は、メディアソケット３７に装着される記録メディア３８に適した入力信号の受渡しを行うために所要の信号変換を行う。また、カメラ１０はパソコンその他の外部機器と接続するための通信手段としてＵＳＢインターフェース部４０を備えている。
【００３４】
次に、カメラ１０の撮影機能について説明する。
【００３５】
図６（ａ）に示す位置に板状カバー１２が回動させられると、この回動に連動するモード選択スイッチ２１によって撮影モードが選択される。
【００３６】
撮影モード時には、カラーＣＣＤ固体撮像素子（以下、ＣＣＤと記載）４１を含む撮像部に電源が供給され、撮影可能な状態になる。この撮影モードにおいては、画像表示パネル１４ａの画像が、図６（ａ）に示したように、画像表示パネル１４ａのカバー部分１７を除く部分に画像全体が入るように縮小される。
【００３７】
レンズユニット４２は、フォーカスレンズを含む撮影レンズ４２ａと絞り兼用メカシャッター４２ｂとを含む光学ユニットである。レンズユニット４２は、ＣＰＵ３１によって制御されるレンズ駆動部４３，絞り駆動部４４によって電動駆動され、ズーム制御，フォーカス制御およびアイリス制御が行われる。
【００３８】
レンズユニット４２を通過した光は、ＣＣＤ４１の受光面に結像される。ＣＣＤ４１の受光面には多数のフォトダイオード（受光素子）が二次元的に配列されており、各フォトダイオードに対応して赤（Ｒ），緑（Ｇ），青（Ｂ）の原色カラーフィルタが所定の配列構造（ベイヤー，Ｇストライプなど）で配置されている。また、ＣＣＤ４１は、各フォトダイオードの電荷蓄積時間（シャッタースピード）を制御する電子シャッター機能を有している。ＣＰＵ３１は、タイミングジェネレータ４５を介してＣＣＤ４１での電荷蓄積時間を制御する。なお、ＣＣＤ４１に代えてＭＯＳ型など他の方式の撮像素子を用いてもよい。
【００３９】
ＣＣＤ４１の受光面に結像された被写体像は、各フォトダイオードによって入射光量に応じた量の信号電荷に変換される。各フォトダイオードに蓄積された信号電荷は、ＣＰＵ３１の指令に従いタイミングジェネレータ４５から与えられる駆動パルスに基づいて信号電荷に応じた電圧信号（画像信号）として順次読み出される。
【００４０】
ＣＣＤ４１から出力された信号は、アナログ処理部（ＣＤＳ／ＡＭＰ）４６に送られ、ここで画素ごとのＲ，Ｇ，Ｂ信号がサンプリングホールド（相関二重サンプリング処理）され、増幅された後、Ａ／Ｄ変換機４７に加えられる。Ａ／Ｄ変換機４７によってデジタル信号に変換された点順次のＲ，Ｇ，Ｂ信号は、画像入力コントローラ４８を介してメモリ３５に記憶される。
【００４１】
画像信号処理回路４９は、メモリ３５に記憶されたＲ，Ｇ，Ｂ信号をＣＰＵ３１の指令に従って処理する。即ち、画像信号処理回路４９は、同時化回路（単板ＣＣＤのカラーフィルタ配列に伴う色信号の空間的なズレを補完して色信号を同時式に変換する処理回路），ホワイトバランス補正回路，ガンマ補正回路，輪郭補正回路，輝度・色差信号生成回路等を含む画像処理手段として機能し、ＣＰＵ３１からのコマンドに従ってメモリ３５を活用しながら所定の信号処理を行う。
【００４２】
画像信号処理回路４９に入力されたＲＧＢの画像データは、画像信号処理回路４９において、輝度信号（Ｙ信号）および色差信号（Ｃｒ，Ｃｄ信号）に変換されるとともに、ガンマ補正等の所定の処理が施される。画像信号処理回路４９で処理された画像データはＶＲＡＭ３６に格納される。
【００４３】
撮影画像を画像表示装置１４にモニタ出力する場合、ＶＲＡＭ３６から画像データが読み出され、バス３２を介してビデオエンコーダ５２に送られる。ビデオエンコーダ５２は、入力された画像データを表示用の所定方式の信号（例えば、ＮＴＳＣ方式のカラー複合映像信号）に変換して画像表示装置１４に出力する。
【００４４】
ＣＣＤ４１から出力される画像信号によって、１コマ分の画像を表す画像データがＡ領域３６ＡとＢ領域３６Ｂとで交互に書き換えられる。ＶＲＡＭ３６のＡ領域およびＢ領域のうち、画像データが書き換えられている方の領域以外の領域から、書き込まれている画像データが読み出される。このようにしてＶＲＡＭ３６内の画像データが定期的に書き換えられ、その画像データから生成される映像信号が画像表示装置１４に供給されることにより、撮像中の映像がリアルタイムに画像表示装置１４の表示パネル１４ａに表示される。撮影者は、画像表示装置に表示される映像（スルー画）によって撮影画角を確認できる。
【００４５】
撮影ボタン１５が半押しされ、Ｓ１スイッチがＯＮすると、カメラ１０はＡＥおよびＡＦ処理を開始する。即ち、ＣＣＤ４１から出力された画像信号はＡ／Ｄ変換後に画像入力コントローラ４８を介してＡＦ検出回路並びにＡＥ／ＡＷＢ検出回路５０に入力される。
【００４６】
ＡＥ／ＡＷＢ検出回路５０は、１画面を複数のエリア（例えば、１６×１６）に分割し、分割エリアごとにＲＧＢ信号を積算する回路を含み、その積算値をＣＰＵ３１に提供する。ＣＰＵ３１は、ＡＥ／ＡＷＢ検出回路５０から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ３１はＣＣＤ４１の電子シャッターおよびアイリスを制御して適正な露光量を得る。
【００４７】
一方、図６（ｂ）に示す位置に板状カバー１２が回動させられると、この回動に連動するモード選択スイッチ２１によって再生モードが選択される。
【００４８】
再生モードが選択されると、記録メディア３８に記録されている最後の画像ファイル（最後に記録されたファイル）の圧縮データが読み出される。最後の記録に係るファイルが静止画ファイルの場合、この読み出された画像圧縮データは、圧縮・伸張回路５１を介して非圧縮のＹＣ信号に伸張され、画像信号処理回路４９およびビデオエンコーダ５２を介して表示用の信号に変換された後、画像表示装置１４に出力される。これにより、当該ファイルの画像内容が画像表示装置１４の表示パネル１４ａ上に表示される。この再生モードにおいては、画像表示パネル１４ａの画像が、図６（ｂ）に示したように、画像表示パネル１４ａ全体に画像全体が入るように拡大される。
【００４９】
静止画の１コマ再生中（動画の先頭フレーム再生中も含む）に、コマ送りダイヤル２０ａを正転又は逆転させることで、再生対象のファイルを切り換えること（順コマ送り／逆コマ送り）ができる。コマ送りされた位置の画像ファイルが記録メディア３８から読み出され、上記と同様にして静止画像や動画が画像表示装置１４の表示パネル１４ａに再生される。
【００５０】
上記実施形態のデジタルカメラ１０は、撮影時においては、図１に示したように、板状カバー１２のカバー部分１７を表示パネル１４ａに添った状態に位置させ、板状カバー１２のカバー部分１７とカメラ本体１１の前面１１ａとを把持した状態で、撮影ボタン１５を操作する。その際に、必要ならば、撮影時使用操作部１９の各キー１９ａ〜１９ｃを操作する。
【００５１】
また、再生時においては、図２に示したように、板状カバー１２のカバー部分１７を表示パネル１４ａから退避させ、表示パネルの全体を露出させる。そして、再生時に使用される操作部２０のコマ送りダイヤル２０ａ，消去ボタン２０ｂを操作して、画像のコマ送り，消去等を行う。
【００５２】
なお、上記実施形態のデジタルカメラ１０では、図２に示した再生状態で、カバー部分１７をカメラ本体１１の前面に添う状態に位置させているが、図７に示したように、カバー部分１７の自由端をカメラ本体の端面１１ｄに係止させるようにしてもよい。この場合には、再生時に使用される操作部２０のコマ送りダイヤル２０ａ，消去ボタン２０ｂをカバー部分１６に配設させれば、操作がより容易になる。
【００５３】
また、図８および図９に示したように、板状カバー１２をカメラ本体１１の背面１１ｂと端面１１ｄとの会合部に回動自在に配設し、撮影時においては、図８に示したように、板状カバー１２を表示パネル１４ａに添った状態に位置させ、再生時において、図９に示したように、板状カバー１２を表示パネル１４ａと反対の方向に開いて、表示パネル１４ａを完全に露出させるようにしてもよい。この場合にも、再生時に使用される操作部２０のコマ送りダイヤル２０ａ，消去ボタン２０ｂを板状カバー１２の内側面に配設させれば、操作がより容易になる。
【図面の簡単な説明】
【００５４】
【図１】図１は本発明に係るデジタルカメラの一実施形態で、背面側（画像表示パネル側）を示した斜視図である。
【図２】図２は図１のデジタルカメラの前面側（撮影レンズ側）を示した斜視図である。
【図３】図３は本発明に係るデジタルカメラで採用される位置決め手段を示した断面図である。
【図４】図４は位置決め手段の他の形態を示した部分断面斜視図である。
【図５】図５は本発明に係るデジタルカメラの制御システムを示したブロック図である。
【図６】図６は本発明に係るデジタルカメラにおける画像表示パネルに表示される画像の大きさを示したもので、図６（ａ）は、縮小状態の画像を示し、図６（ｂ）は、拡大状態の画像を示した正面図である。
【図７】図７は再生時におけるカバー部分の他の態様を示した斜視図である。
【図８】図８は本発明に係るデジタルカメラにおける板状カバーの他の形態を示したもので、その撮影時の状態を示した斜視図である。
【図９】図９は図８のデジタルカメラにおける板状カバーの再生時の状態を示した斜視図である。
【符号の説明】
【００５５】
１０…デジタルカメラ、１１…カメラ本体、１１ａ…前面、１１ｂ…背面、１１ｃ…上面、１１ｄ…端面、１２…板状カバー、１２ａ，１２ｂ…カバー部分、１３…撮影レンズ、１４…画像表示装置、１４ａ…画像表示パネル、１５…撮影ボタン、１６，１７…カバー部分、１９、２０…操作部、１９ａ…メニュー／ＯＫキー、１９ｂ…十字キー、１９ｃ…キャンセルキー、１９ｄ…シーソーキー、２０ａ…コマ送りダイヤル、２０ｂ…消去ボタン、２１…モード選択スイッチ
【図１】
2006253942.tif 000003
【図２】
2006253942.tif 000004
【図３】
2006253942.tif 000005
【図４】
2006253942.tif 000006
【図５】
2006253942.tif 000007
【図６】
2006253942.tif 000008
【図７】
2006253942.tif 000009
【図８】
2006253942.tif 000010
【図９】
2006253942.tif 000011